(57)【要約】【課題】簡易な構造としながら椅子の軽量化が可能な、椅子の傾動構造を提供する。【解決手段】脚支柱５の上端に取り付けられる支持ベース１１と、支持ベース１１に対して傾動可能に連結され背凭れ３及び座板２を支持する支持体１２と、背凭れ３の後傾に対する弾反力を与えるトーションバー２２と、トーションバー２２による弾反力を調節する調節機構とを有する。支持体１２の前端にはこれの傾動軸となり、かつトーションバー２２を保持する保持部１２ｃが一体形成されている。調節機構は、トーションバー２２が挿通されるフック２４と、フック２４に係合されるテンションボルト２５と、テンションボルト２５の支持ベース１１内への突出量を調節する調節ノブ２６とからなる。トーションバー２２には、側断面形状が矩形となる扁平な板バネ２２ａが使用され、板バネ２２ａは、これの側断面形状が縦長となる起立姿勢で保持されている。【選択図】図４
2009297132.tif 000002
【特許請求の範囲】
【請求項１】
脚支柱の上端に取り付けられる支持ベースと、該支持ベースに対して傾動可能に連結され背凭れ及び座板を支持する支持体と、該支持体の傾動軸に沿って配され前記背凭れの後傾に対する弾反力を与える角柱形のトーションバーと、該トーションバーによる前記背凭れの後傾に対する弾反力を調節する調節機構とを有し、
前記支持体の前端には、前記支持ベースに載置されて支持体の傾動軸となり、かつ前記トーションバーを支持体に対する角度が変化しない状態で保持する保持部が一体形成されており、
前記調節機構は、基端部に前記トーションバーが挿通され、該トーションバーを傾動中心として前記支持ベース内において傾動可能なフック部材と、該フック部材の先端部に係合され、前記支持ベースの内側から外側に向けて貫通するように配されるテンションボルトと、前記支持ベースの外側において前記テンションボルトと螺合され、該テンションボルトの支持ベース内への突出量を調節する調節ノブとからなる、椅子の傾動構造。
【請求項２】
前記トーションバーは、側断面形状が矩形となる１枚又は２枚の扁平な板バネからなり、
該板バネは、これの側断面形状が縦長となる起立姿勢で保持されている、請求項１に記載の椅子の傾動構造。
【請求項３】
前記支持体の保持部は、該支持体の左右両端に亘って筒状に一体形成されており、
該筒状の保持部には、前記フック部材がちょうど収まる左右寸法を有し、かつ前記背凭れの後傾に伴う前記フック部材と前記支持体との角度変化を許容する上下寸法を有する開口部が形成されており、
前記フック部材には、前記筒状の保持部に形成された開口部を介して前記トーションバーが挿通されている、請求項１または請求項２に記載の椅子の傾動構造。
【請求項４】
前記支持体がアルミニウム製である、請求項１ないし請求項３のいずれかに記載の椅子の傾動構造。
【発明の詳細な説明】
【技術分野】
【０００１】
本発明は、前後方向に傾動可能に連結された背凭れの後傾に対する弾反力を調節可能な調節機構を有する椅子の傾動構造に関する。
【背景技術】
【０００２】
この種の椅子の傾動構造として、例えば特許文献１ないし特許文献３がある。これらの傾動構造は、背凭れの後傾に対する弾反力を与えるために、トーションバーが使用されている。具体的には、脚支柱の上端に取り付けられる支持ベースと、該支持ベースに連結ないし固定され背凭れを支持する支持体と、トーションバーによる弾反力を調節する調節機構とを有する。
【０００３】
詳しくは、特許文献１では、後端部が脚支柱の上端に固着された支持ベースと、支持ベースの前端部に固着した前支軸と、前支軸を介して前端部が支持ベースに対し後傾動可能に枢着された座板支持体と、座板支持体の後端部に後支軸を介して枢着された背凭支持体と、座板支持体の後傾動に追従して背凭支持体が座板支持体に対し後傾動するように両端が支持ベースと背凭支持体の前端部とにそれぞれ軸着された連結アームとを備える。中空筒状の前支軸内にトーションバーが挿入され、該トーションバーの一端を前支軸の一端部に固定するとともに、該トーションバーの他端に固定した外筒体に突設したレバーの先端に調整ハンドルのねじ部を螺合し、該ねじ部の先端を座席支持体の下面に当接してある。また、支持ベースの前端と背凭支持体の前端との間には、座席支持体および背凭支持体の後傾動により圧縮されるコイルばねが設けられている。さらに、支持枠の前端と背凭支持体の前端とには、伸縮杆の前後端に取り付けたブラケットが軸着されており、伸縮杆に外挿したコイルばねが前後ブラケット間に保持されている。
【０００４】
特許文献２では、支持体に組みつけられて該支持体の傾動中心となる傾動軸と、傾動軸を支える支持ベースと、傾動軸の周囲に傾動自在に装備された支持体と、弾反力を与えるトーションバーと、該トーションバーの弾反力を調節する調節機構とを有する。調節機構は、トーションバーに取り付けられたレバーと、調節ノブと、調節ノブの角度的位置とレバーの角度的位置との間の相互関係を規定するために、レバーの一つの端部と共に作用するウェッジと、該ウェッジの軸上の位置を操作ノブの角度的位置に対して変化できるネジおよびナット機構とを有する。ネジ・ナット機構は、共に噛み合う第１・第２の一対の歯型ホイールを有し、第１歯型ホイールは操作ノブに回転可能に接続され、第２歯型ホイールはレバーの一つの端部と共に作用するナットを係合するネジ付きロッドに組み込まれてそれと共に回転する構造となっている。
【０００５】
特許文献３では、椅子の脚支柱の上端に固定した支持ベースに、支持ベースとは別体の筒体を左右方向へ向けて貫着し、筒体の両端部に回動自在に設けた回動軸に、背凭れを支持する支持体を枢支して、支持体を後方に傾動可能とし、筒体内に配設したトーションバーの一端を筒体に固着するとともに、他端をいずれか一方の回動軸に固着し、この回動軸の外周面に調節片を突設し、この回動軸に枢支された支持体に、外端部のねじ孔が外側方を向き、かつ内端部が円弧状に湾曲して調節片の方向を向き、その先端開口部に調節片が嵌合する嵌合溝が形成されたガイド管を装着し、ガイド管内に硬質の充填体を、ガイド管に沿って移動可能として嵌合するとともに、ガイド管の開口端部に形成したねじ孔に、外側方に向かって延出する調節ハンドルの基端部に形成した雄ねじを螺合し、回転ハンドルを締め込むことにより、転動部材を介して、調節片を支持体との挾角が開く方向に回動させて、トーションバーの弾反力を調節できる構造となっている。
【０００６】
なお、特許文献１ではトーションバーの具体的形態は不明であるが、特許文献２のトーションバーは、扁平な板バネを複数枚重ねることで、全体として角柱形を呈する。このとき、トーションバーを構成する各板バネは、これの側断面形状が横長となる姿勢、すなわち横臥した姿勢で保持されており、そのため少なくとも３枚以上の板バネが使用されている（段落０００８、図４，５）。特許文献３のトーションバーも特許文献２のトーションバーと同様の構成となっており、同じく少なくとも３枚以上の板バネが使用されている（段落０００９、図４）。
【０００７】
【特許文献１】実開平７−１６６４３号公報
【特許文献２】特開２００１−２９１６５号公報
【特許文献３】特開２００１−１２８７７２号公報
【発明の開示】
【発明が解決しようとする課題】
【０００８】
特許文献１ないし特許文献３のように、従来から椅子の傾動構造には種々の形態がある。しかし、上記のように従来の傾動構造は複雑であって、これにより部品点数も多かった。これでは、コストが高くつく、椅子の重量が嵩む、組み立て作業も煩雑である、などの問題がある。
【０００９】
また、特許文献２や特許文献３では、トーションバーを構成する各板バネは横臥姿勢で保持されている。横臥姿勢とは、側断面形状が水平ないし水平方向から±４５°以下の角度で傾斜している場合をいう。したがって、使用者からの荷重等によってトーションバーが容易に変形することがないように、少なくとも３枚以上の板バネが使用されている。これでは、コストや椅子の重量が嵩むばかりか、使用（積層）枚数が多いことからトーションバーの装着が困難となる。ここで、トーションバーが挿通保持される筒体や該筒体が固定される支持体を、ステンレス製としたり肉厚としたりすることで強度を高めれば、板バネの使用枚数を減らすことは可能である。しかし、支持体等の強度を高めるに伴いその重量も増大するので、逆に椅子の重量がさらに増大してしまう。したがって、支持体等を比較的軽量なアルミニウム製とした場合でも、トーションバーを構成する板バネの使用枚数を低減できることが求められる。
【００１０】
そこで、本発明は上記課題を解決するものであって、簡易な構造としながら椅子の軽量化が可能な、椅子の傾動構造を提供することを目的とする。
【課題を解決するための手段】
【００１１】
本発明の椅子の傾動構造は、脚支柱の上端に取り付けられる支持ベースと、該支持ベースに対して傾動可能に連結され背凭れ及び座板を支持する支持体と、該支持体の傾動軸に沿って配され前記背凭れの後傾に対する弾反力を与える角柱形のトーションバーと、該トーションバーによる前記背凭れの後傾に対する弾反力を調節する調節機構とを有する。前記支持体の前端には、前記支持ベースに載置されて支持体の傾動軸となり、かつ前記トーションバーを支持体に対する角度が変化しない状態で保持する保持部が一体形成されている。前記調節機構は、基端部に前記トーションバーが挿通され、該トーションバーを傾動中心として前記支持ベース内において傾動可能なフック部材と、該フック部材の先端部に係合され、前記支持ベースの内側から外側に向けて貫通するように配されるテンションボルトと、前記支持ベースの外側において前記テンションボルトと螺合され、該テンションボルトの支持ベース内への突出量を調節する調節ノブとからなる。
【００１２】
前記トーションバーは、側断面形状が矩形となる１枚又は２枚の扁平な板バネからなる。すなわち、１枚の板バネのみからなるときは、当該板バネそれ自体がトーションバーとなる。なお、側断面形状が矩形となる扁平な板バネも、大きな意味では角柱形である。また、２枚の板バネからなるときは、当該２枚の板バネが重ねられて角柱形のトーションバーとなる。このとき板バネは、これの側断面形状が縦長となる姿勢、すなわち起立した姿勢で保持されている。側断面形状が縦長となる起立姿勢とは、側断面形状が鉛直に縦長となっている場合のほか、鉛直方向に対して±４５°未満の角度で傾斜している場合も含まれる。
【００１３】
前記支持体の保持部は、少なくとも支持ベースに載置可能で、かつトーションバーの角度を保持できる形状であれば特に限定されないが、支持体の左右両端に亘って筒状に形成することが好ましい。そのうえで、当該筒状の保持部に、前記フック部材がちょうど収まる左右寸法を有し、かつ前記背凭れの後傾に伴う前記フック部材と前記支持体との角度変化を許容する上下寸法を有する開口部を形成し、前記フック部材には前記開口部を介して前記トーションバーを挿通することが好ましい。また、前記支持体はアルミニウム製とすることが好ましい。
【発明の効果】
【００１４】
本発明に係る椅子の傾動構造は、支持体の傾動中心となる保持部を一体成形したうえで、当該保持部を支持ベースに載置し、支持体の保持部に保持されたトーションバーに挿通されたフック部材を、調節機構のテンションボルトに係合するだけで、支持体と支持ベースとが傾動可能に連結される。つまり、フック部材が支持体の連結と弾反力の調節とを兼ねている。このように、本発明に係る椅子の傾動構造は、支持ベースと、保持部が一体成形された支持体と、弾反力を与えるトーションバーと、支持体の連結と弾反力の調節とを兼ねるフック部材と、該フック部材に係合されるテンションボルトと、弾反力の強弱を調節する調節ノブとによって構成されているだけの簡単な構造となっている。したがって、部品点数が少なくコスト削減及び椅子の軽量化が可能となる。また、部品点数が少ない簡単な構成であることに加えて、トーションバーをフック部材に挿通しながら支持体の支持部に保持させ、フック部材をテンションボルトに係合し、支持体は支持ベースに載置するだけでよいので、傾動構造の組み立ても容易である。
【００１５】
トーションバーを成す板バネを、これの側断面形状が縦長となる起立姿勢で保持しておけば、横臥姿勢で保持する場合と比べて上下方向の強度が飛躍的に向上する。これにより、板バネは多くても２枚で充分であり、仮に１枚でも上下方向の荷重に対する適度な強度を確保できるので、板バネの使用枚数を減らして組み立て容易化、及びコスト削減を図ることができる。また、トーションバー自体の上下方向の強度を大きく向上できることから、支持体をステンレス等と比べて軟質なアルミニウム製とすることができる。これにより、さらに椅子の軽量化が可能となる。
【００１６】
フック部材に、これがちょうど収まる左右寸法とフック部材に対する支持体の角度変化を許容する上下寸法の開口部を介してトーションバーを挿通していれば、フック部材の左右両側面が開口部の左右両側面に近接しているので、テンションボルトに係合保持されたフック部材に対して支持体が左右方向へガタツクことなく、安定して支持体を前後方向へ傾動させることができる。また、フック部材や支持体などの左右方向へのガタツキを防止するための別部材や複雑な機構が不要なので、この点においても傾動構造の簡素化が図られている。
【発明を実施するための最良の形態】
【００１７】
以下、適宜図面を参照しながら本発明の実施の形態について説明するが、これに限られることはなく、本発明の要旨を逸脱しない範囲で種々変形が可能であることはいうまでもない。特に、以下にはトーションバーが２枚の板バネから成る実施の形態を例示するが、トーションバーは１枚の板バネのみから成っても良いし、僅かな重量増加を気にしなければ、３枚以上の板バネを使用しても良い。図１に、椅子１の斜視図を示す。図２に、傾動構造の分解斜視図を示す。図３に、ベースカバー３２を取り外した状態の傾動構造の平面図を示す。図４に、傾動構造の側断面図を示す。ここで図４（ａ）は、調節ノブによってテンションボルトを最も締めた、背凭れの弾反力を強めた状態を示している。図４（ｂ）は、調節ノブによってテンションボルトを緩め、背凭れの弾反力を弱めた状態を示している。図５は、支持体１２の保持部１２ｃの背面下方からみた背面斜視図を示す。
【００１８】
図１において椅子１は、着座者の臀部を支持する座板２と、着座者の背中を支持する背凭れ３と、脚４とを備え、座板２と脚４との間に、傾動構造１０が構築されている。脚４は、中央の脚支柱５から放射状に複数本延出しており、脚４の下端にはキャスター６が固定されている。符号７は、座板２の上下高さを調節する座上下レバーである。傾動構造１０は、脚支柱５の上端に周方向に回動自在に取り付けられる支持ベース１１と、当該支持ベース１１に対して傾動可能に連結され、座板２及び背凭れ３を支持する支持体１２とを有する。
【００１９】
支持ベース１１はアルミニウムダイカスト製の一体成形品であって、図２に示されるように、傾動構造１０を下方から支持する受け皿状のベース部１１ａと、ベース部１１ａの前端部から斜め前方に延出する左右２本のアーム部１１ｂと、ベース部１１ａの後方寄り部位から左右外方に延出し、支持体１２の保持部１２ｃが載置される円筒下半分状の受け部１１ｃとを有する。左右のアーム部１１ｂの先端には、それぞれ樹脂製の固定ブラケット１５が設けられ、当該左右の固定ブラケット１５を介して座板２の前縁左右両端部において支持ベース１１と座板２とがネジ固定される。これにより、座板２の前方側は、支持ベース１１によって支持されている。なお、一方（図２では右側）の固定ブラケット１５には、座上下レバー７が上下方向に回動可能に連結される連結部１５ａが一体形成されている。本実施形態では、脚支柱５の上部に装着される座板２の昇降機構として、ガススプリング機構が採用されている。そして、図２及び図３に示されるように、座上下レバー７は、支持ベース１１の上面に突出するガススプリング機構のバルブ１６を押圧操作する押圧部材１７と、ワイヤ１８を介して連結されている。バルブ１６と押圧部材１７とを連結するワイヤ１８は、支持体１２のアーム部１１ｂに凹設された溝１１ｄを通される。意匠的な問題から、左右の溝１１ｄはそれぞれ樹脂製の溝カバー１９によって上面がカバーされ、アーム部１１ｂの上面は面一となっている。押圧部材１７も樹脂製の一体成形品であって、ワイヤ１８が掛け止められて座上下レバー７の操作に連動して操作される立設壁状の操作部１７ａと、操作部１７ａの下部から前方へ延出する押圧部１７ｂとを有する断面略Ｌ字状を呈し、操作部１７ａの下部左右両側面からは、押圧部材１７の回動中心となる回動軸１７ｃが左右外方へ延出している。回動軸１７ｃは、支持ベース１１の後部に立設された軸受け１１ｅに掛け止められる。また、ワイヤ１８は、支持ベース１１の前方寄り部位に立設されたリブの凹部１１ｆに掛け止められることで、ワイヤ１８の牽引操作の円滑化が図られている。
【００２０】
図２に示されるように、支持体１２もアルミニウムダイカスト製の一体成形品であって、左右のサイドアーム部１２ａと、左右のサイドアーム部１２ａの後端同士を繋ぐリアアーム部１２ｂと、左右のサイドアーム部１２ａの前端同士を繋ぐ保持部１２ｃとからなる四角枠状部材となっている。左右のサイドアーム部１２ａは、前半部位が斜め上方に延び、後半部位が略水平となったく字状に屈曲しており、前後中間部の屈曲点には、それぞれ座板２の後縁左右両端部を支持する固定ブラケット１２ｄが一体形成されている。これにより、座板２の後方側は、支持体１２によって支持されている。背凭れ３は、リアアーム部１２ｂに係合されたうえでネジ留めされる。図５に示されるように、保持部１２ｃは円筒形に形成されているが、これの左右両端部（左右のサイドアーム部１２ａの前端部）のみは中実となっており、当該中実部に、後述のトーションバー２２と同じ形状の挿通口が形成されている。また、傾動構造１０を組み立てる際に、トーションバー２２を視認しながら挿通できるよう、保持部１２ｃの後面は開口している。なお、トーションバー２２を保持部１２ｃに挿通したあとは、意匠性の問題から保持部１２ｃの後面開口は保持部カバー２３によって塞がれる。図２に戻って、保持部１２ｃの左右方向中央部前面には、後述のフック２４がちょうど収まる左右寸法を有し、かつ背凭れ３の後傾に伴うフック２４と支持体１２との角度変化を許容する上下寸法を有する開口１２ｅが形成されており、当該開口１２ｅの左右両側方に、支持ベース１１の受け部１１ｃに載置される載置部１２ｆが設けられている。載置部１２ｆは、保持部１２ｃにおける他の部位よりも直径が小さくなっている。
【００２１】
そして、背凭れ３の後傾に対する弾反力を与えるために、トーションバー２２が使用される。トーションバー２２は、機械的強度の高い鉄鋼製であり、側断面形状が長方形となる四角柱状を呈する。トーションバー２２が四角柱状を呈することで、別個保持部材などを使用せずとも、トーションバー２２を支持体１２に対する角度が変化しない状態で確実に保持することができる。また、側断面形状が長方形となっていることで、側断面形状が正方形の場合に比べて支持体１２との接触面積が大きくなり、トーションバー２２より軟質なアルミニウムダイカスト製の支持体１２が背凭れ荷重によって変形することが避けられる。本実施の形態では、側断面形状が長方形となる扁平な板バネ２２ａを２枚重ねて、トーションバー２２としている。
【００２２】
さらに、本実施の形態の傾動構造１０には、トーションバー２２による背凭れ３の後傾に対する弾反力を調節する調節機構が設けられている。当該調節機構は、支持ベース１１と支持体１２とを傾動可能に連結するフック２４と、フック２４に係合されるテンションボルト２５と、テンションボルト２５に螺合される調節ノブ２６とからなる。フック２４は、軽量化のためにアルミニウムダイカスト製の一体成形品としているが、高い強度を担保するために、図２及び図３に示されるように、基端部から左右２枚のフック片２４ａが延出した形状となっている。２枚のフック片２４ａ同士は、その前方部においても架橋されている。なお、フック２４の基端部には、トーションバー２２と同じ形状の挿通口２４ｂが形成されている。テンションボルト２５は、螺子部２５ａと、螺子部２５ａの上端において直交する係合部２５ｂとからなるＴ字状を呈する。傾動構造１０を組み立てたとき、フック２４の基端部にトーションバー２２が挿通され、当該フック２４はトーションバー２２を傾動中心として支持ベース１１内において傾動可能となる。テンションボルト２５は、これの係合部２５ｂにおいて上向きに配されたフック２４の係合凹部２４ｃに係合され、支持ベース１１の内側から外側に向けて貫通するように配される。そして調節ノブ２６は、支持ベース１１の外側においてテンションボルト２５の螺子部２５ａと螺合され、テンションボルト２５の支持ベース１１内への突出量を調節可能となっている。
【００２３】
次に、図２及び図３を参照しながら、傾動構造１０の組み立て手順について説明する。まず、支持体１２の開口１２ｅにフック２４を収納した状態において、支持体１２の保持部１２ｃの両側方に形成された挿通口とフック２４の基端部に形成された挿通口２４ｂに、２枚の板バネ２２ａからなるトーションバー２２を挿通する。このとき、保持部１１ｃの後面開口においてトーションバー２２の挿通状態を視認しながら行えば、作業を楽に行える。トーションバー２２を支持体１２の保持部１２ｃに挿通したとき、当該トーションバー２２は、これの左右両端部において、支持体１２に対して不用意に角度が変化することがない状態で保持されるとともに、フック２４が支持体１２に取り付けられる。なお、図２には支持体１２の左側方からトーションバー２２を挿通するように図示しているが、トーションバー２２は支持体１２の右側方から挿通することもできる。トーションバー２２を支持体１２の保持部１２ｃに挿通できたら、保持部１２ｃの左右両側面の開口を樹脂製のキャップ３０によって閉塞すると共に、保持部１２ｃの後面開口を保持部カバー２３によって閉塞する。キャップ３０は保持部１２ｃに圧入され、保持部カバー２３はビス留めされる。
【００２４】
これに前後して、支持ベース１１の内外においてテンションボルト２５と調節ノブ２６とを互いに螺合させておく。そして、支持ベース１１の内側にあるテンションボルト２５の係合部２５ｂの下側からフック２４の凹部２４ｃを係合させながら、支持体１２の載置部１２ｆを支持ベース１１の受け部１１ｃに載置する。これにより、支持体１２は支持ベース１１に対して傾動可能に連結される。このとき、支持体１２の載置部１２ｆは、保持部１２ｃの他の部位より小径となっていることで、支持ベース１１の受け部１１ｃに嵌合するように載置されるので、支持体１２を安定的に載置できる。なお、支持ベース１１の受け部１１ｃと支持体１２の載置部１２ｆとの間には、樹脂製のカラー３１を介在させておく。
【００２５】
次いで、予め支持ベース１１のアーム部１１ｂの先端に固定しておいた固定ブラケット１５に座上下レバー７を取り付ける共に、支持ベース１１の軸受け１１ｅに押圧部材１７を載置し、座上下レバー７と押圧部材１７とに連結されたワイヤ１８を、支持ベース１１の溝１１ｄに通しながら凹部１１ｆに嵌合する。その後、支持ベース１１の溝１１ｄに溝カバー１９を嵌合する。なお、この時点において溝カバー１９は固定されていない。最後に、支持ベース１１の上方から、支持体１２の保持部１２ｃを覆うようにベースカバー３２を被せて、支持ベース１１とベースカバー３２とをボルト固定する。なお、ベースカバー３２もアルミニウムダイカスト製の一体成形品であって、支持ベース１１のベース部１１ａ及び受け部１１ｃと略同じ平面形状を呈する。これにより、ベースカバー３２を支持ベース１１に被せることで、溝カバー１９は固定ブラケット１５とベースカバー３２との間で抜け外れ不能に固定される。また、支持体１２の載置部１２ｆとベースカバー３２との間にも、カラー３１を介在させておく。これで、傾動構造１０の組み立てが完了である。続いて、支持体１２のリアアーム部１２ｂに背凭れ３を固定した後、支持ベース１１先端の固定ブラケット１５と支持体１２の固定ブラケット１２ｄとに座板２を固定することで、椅子の組み立ても完了である。
【００２６】
傾動構造１０を組み立てたとき、図４に示されるように、トーションバー２２は、これの側断面形状が縦長となる起立姿勢で保持されている。これにより、トーションバー２２は上下方向の強度が大きいことから、使用者からの荷重が支持体１２の保持部１２ｃに作用しても、トーションバー２２が安易に下方へ撓むことはない。また、ベースカバー３２の下面には、フック２４の２枚のフック片２４ａの間に入り込む補強用のリブ３２ａが一体成形されている。また、支持体１２は、これの前端に設けられた保持部１２ｃにおいて支持ベース１１に載置連結されていることで、その自重によって常時後ろ下方へ付勢されており、フック２４と係合するテンションボルト２５によって、支持体１２の姿勢が保持されている。なお、保持部１２ｃが支持体１２の傾動軸となり、トーションバー２２は、支持体１２の傾動軸に沿って配されていることになる。なお、保持部１２ｃの開口１２ｅの外郭部分の前面には段部１２ｇ（図２参照）が形成されており、当該段部１２ｇが支持ベース１１の規制壁１１ｇ（図３参照）に当接することで、支持体１２の前傾限界が規制される。一方、図４に示されるように、保持部１２ｃの開口１２ｅの外郭の上端後面１２ｈが、支持ベース１１の後部底面１１ｈに当接することで、支持体１２の後傾斜限界が規制される。
【００２７】
使用者が椅子１に着座して背凭れ３に凭れ掛かると、背凭れ３を支持する支持体１２の保持部１２ｃを傾動軸として背凭れ３及び支持体１２が後傾する。このとき、傾動軸となる保持部１２ｃに沿って挿通保持されているトーションバー２２の左右両側方部も、支持体１２と同じ角度で後傾（回動）する。しかし、トーションバー２２の中央部はテンションボルト２５と係合するフック２４によって後傾が規制されることで、トーションバー２２に捻りが生じ、当該捻りによって背凭れ３の弾反力が発生する。このとき、フック２４はこれがちょうど収まる左右寸法の開口１２ｅ内に収容されていることで、支持体１２が左右方向へガタツクことがない。一方、開口１２ｅは背凭れ３の後傾に伴うフック２４と支持体１２との角度変化を許容できる上下寸法を有するので、支持体１２の後傾が阻害されることはない。そして、トーションバー２２による背凭れ３の弾反力を強めたい場合は、図４（ａ）に示すように、調節ノブ２６を締めてテンションボルト２５の支持ベース１１内への突出量を小さくする。これに伴いフック２４は水平状態に近づき、トーションバー２２が前方側へ回動することで、支持体１２及び座板２の後部、並びに背凭れ３が上方へ持ち上がる。調節ノブ２６を、図４（ａ）のように最大限締めたとき、支持体１２及び座板２は略水平状態にあり、背凭れ３は略垂直状態にある。一方、トーションバー２２による背凭れ３の弾反力を弱めたい場合は、図４（ｂ）に示すように、調節ノブ２６を緩めてテンションボルト２５の支持ベース１１内への突出量を大きくする。これに伴い、フック２４は先端部が上方へ大きく持ち上がった傾斜状態となり、トーションバー２２が後方側へ回動することで、支持体１２及び座板２の後部、並びに背凭れ３が下方へ下がる。調節ノブ２６を、図４（Ｂ）のように最大限緩めたとき、支持体１２、座板２、及び背凭れ３は若干後傾状態にある。
【図面の簡単な説明】
【００２８】
【図１】椅子の斜視図である。
【図２】傾動構造の分解斜視図である。
【図３】ベースカバーを取り外した状態の傾動構造の平面図である。
【図４】傾動構造の側断面図である。
【図５】支持体の保持部の背面斜視図である。
【符号の説明】
【００２９】
１  椅子
２  座板
３  背凭れ
４  脚
５  脚支柱
１０  傾動構造
１１  支持ベース
１２  支持体
１２ｃ  保持部
１２ｅ  開口
１２ｆ  載置部
２２  トーションバー
２４  フック
２５  テンションボルト
２６  調節ノブ
３２  ベースカバー
【図１】
2009297132.tif 000003
【図２】
2009297132.tif 000004
【図３】
2009297132.tif 000005
【図４】
2009297132.tif 000006
【図５】
2009297132.tif 000007